(57)【要約】【課題】異なる扉厚に対応し、共通の把手台座が使用可能となる把手台座の取付構造及び把手台座の取付方法を得る。【解決手段】把手台座３１Ａを扉３の室外側の面３ａに取り付ける把手台座の取付構造であって、扉３の室外板１１から室内板１３に貫通する取付穴１５と、把手台座３１Ａの座面３１ａに突設され先端面３３ａに雌ねじが形成されるとともに、最も薄厚に形成した扉３の取付穴１５に挿入されて先端面３３ａが室内板１３と増し締め代を有して対向する柱状脚３３と、室内側から室内板１３の取付穴１５に挿入され柱状脚３３の雌ねじに螺合する標準ねじ３７とを備え、最も薄厚の扉３より厚い扉用として、取付穴１５に挿入され柱状脚３３の雌ねじに螺合するとともに、増し締め代が締め付けられることで段部５９が先端面３３ａに当接してそれ以上の締め付けが不能となる段付ねじ５３とを備えた。【選択図】      図１
2007138525.tif 000002
【特許請求の範囲】
【請求項１】
把手台座を扉の室外側の面に取り付ける把手台座の取付構造であって、
前記扉の室外板から室内板に貫通する取付穴と、
前記把手台座の座面に突設され先端に雌ねじが形成されるとともに、最も薄厚に形成した前記扉の取付穴に挿入されて先端面が前記室内板と増し締め代を有して対向する柱状脚と、
室内側から前記室内板の取付穴に挿入され前記柱状脚の雌ねじに螺合する標準ねじとを備え、
最も薄厚の前記扉より厚い扉用として、前記取付穴に挿入され前記柱状脚の雌ねじに螺合するとともに、前記増し締め代が締め付けられることで段部が前記先端面に当接してそれ以上の締め付けが不能となる段付ねじと、
を備えたことを特徴とする把手台座の取付構造。
【請求項２】
前記室内側の面と、前記標準ねじ又は前記段付ねじとの間にねじ貫通座板が挟入され、
前記室内側の面と該ねじ貫通座板との間に、弾性パッキンシートが挟入されたことを特徴とする請求項１記載の把手台座の取付構造。
【請求項３】
把手台座を扉の室外側の面に取り付ける把手台座の取付方法であって、
前記把手台座の座面から突出させた柱状脚を最も薄厚の扉に穿設した取付穴に室外側から挿入し、室内側から前記取付穴に挿入した標準ねじを前記柱状脚の先端に形成した雌ねじに螺合して前記把手台座を扉へ取り付ける一方、
最も薄厚の前記扉より厚い扉に前記把手台座を取り付けるに際しては、前記標準ねじより長くかつ所定の増し締め代の締め付け後に、段部が前記柱状脚の先端面に当接してそれ以上の締め付けが不能となる段付ねじを用いて前記把手台座を扉の室外側の面に取り付けることを特徴とする把手台座の取付方法。
【発明の詳細な説明】
【技術分野】
【０００１】
本発明は、把手台座を扉の室外側の面に取り付ける把手台座の取付構造及び把手台座の取付方法に関する。
【背景技術】
【０００２】
扉にはドアハンドル、ドアレバー、或いは錠前付の把手など取り付けられることがある。図５に示すように、例えば錠前付把手１は、扉３の室外側の面３ａと、扉３の室内側の面３ｂとの双方に取り付けられる。このうち、例えば室外側の面３ａに取り付けられる錠前付把手１ａは、把手部５の上下に把手台座７Ａ、７Ａが設けられ、この把手台座７Ａ、７Ａの取付面７ａが扉３の室外側の面３ａに当接して取り付けられる。
【０００３】
防犯上、把手台座７Ａは、ねじ等の取付部材を露出させずに扉面３ａに取り付けられなければならない。従来の把手台座７Ａの取付構造としては、例えば把手台座７Ａの取付面７ａに柱状脚９を一体構造として突設し、扉３の室外板１１，室内板１３を貫通して穿設した取付穴１５に、この柱状脚９を室外側から挿入する一方で、室内板１３に開口した取付穴１５にねじ１７を柱状脚９の先端に形成した雌ねじ１９に締め付けることで、室外側の把手台座７Ａを取り付けていた。一方、室内側の把手台座７Ｂは、取付性を考慮して、例えば固定ねじ２１を側部に露出させる構造で取り付けを可能にすることができた。
【０００４】
ところで、扉３には種々の厚みがあり、従来の把手台座の取付構造では、種々の扉厚に応じた柱状脚９の長さを有する異なる複数種の把手台座を備えていた。すなわち、把手台座７Ａは、柱状脚９が一体の構造部材であることから、種々の扉厚に対応するために、その長さを種々備えることとなって、各扉厚用の把手台座７Ａが複数種用意される。これにより、異なる厚みの扉３に対しても、対応した把手台座７Ａを選択することで、柱状脚９の先端面９ａと室内板１３とに所定の増し締め代２３を形成して、把手台座７Ａを取り付けることができた。
【発明の開示】
【発明が解決しようとする課題】
【０００５】
しかしながら、従来の把手台座の取付構造及び把手台座の取付方法では、扉３の厚みに合わせて、対応する種類の把手台座を選択して取り付けなければならないため、扉厚に一致しない異なる仕様の把手台座が誤使用されると、取り付け対象となる扉厚より厚い扉に対応する柱状脚を有する把手台座の場合には、先に柱状脚９が室内板１３に当たるため、取付面７ａと室内板１３とに間隙が形成され、誤使用であることが容易に把握できるが、その逆に、薄い扉に対応する柱状脚９を有する把手台座７Ａが誤使用されると、図６に示すように、柱状脚９の先端面９ａと室内板１３との間に、大きな隙間２５が形成されてしまい、これをねじ１７により締め付ければ所定の増し締め代２３以上にねじ１７が締め込まれることとなり、その結果、室内板１３が大きく凹み、扉３自体に交換の生じる虞もあった。
このように、最も薄厚に形成した扉３に用いる把手台座７Ａを、それより厚い扉に誤使用した場合には、ねじ１７の締めすぎにより、室内板１３に撓み変形や破損が生じた。つまり、従来の把手台座７Ａの取付構造では、異なる扉厚に対し、共通の把手台座７Ａを使用することができず、その結果、部品点数が増え、製品コストが増大するとともに、部品管理も煩雑となる問題があり、特に、施工性を向上させるために、把手部５と把手座板７Ａ，７Ａが予め一体に組み立てられた状態で施工現場に搬入されることから、その管理、製造コストが大きく嵩む問題がある。
【０００６】
本発明は上記状況に鑑みてなされたもので、異なる扉厚に対応し、共通の把手台座が使用可能となる把手台座の取付構造及び把手台座の取付方法を提供し、もって、製品コスト、施工コストを低減するとともに、部品等在庫管理の簡素化を図ることを目的とする。
【課題を解決するための手段】
【０００７】
次に、上記の課題を解決するための手段を、実施の形態に対応する図面を参照して説明する。
本発明の請求項１記載の把手台座の取付構造は、把手台座３１Ａを扉３の室外側の面３ａに取り付ける把手台座の取付構造であって、
前記扉３の室外板１１から室内板１３に貫通する取付穴１５と、
前記把手台座３１Ａの座面３１ａに突設され先端に雌ねじ３５が形成されるとともに、最も薄厚に形成した前記扉３の取付穴１５に挿入されて先端面３３ａが前記室内板１３と増し締め代２３を有して対向する柱状脚３３と、
室内側から前記室内板１３の取付穴１５に挿入され前記柱状脚３３の雌ねじ３５に螺合する標準ねじ３７とを備え、
最も薄厚の前記扉３より厚い扉３Ａ用として、前記取付穴１５に挿入され前記柱状脚３３の雌ねじ３５に螺合するとともに、前記増し締め代２３が締め付けられることで段部５９が前記先端面３３ａに当接してそれ以上の締め付けが不能となる段付ねじ５３と、
を備えたことを特徴とする。
【０００８】
この把手台座の取付構造では、最も薄厚に形成した扉３に把手台座３１Ａが取り付けられる際には、標準ねじ３７が締め付けられ、室内板１３が標準ねじ３７によって増し締め代２３の分、撓むことも可能となることにより柱状脚３３の先端面３３ａに当接して取り付けが完了する。一方、最も薄厚の扉３より厚い扉３Ａに把手台座３１Ａが取り付けられる際には、柱状脚３３と室内板１３との間に増し締め代２３より大きな間隙６１が形成されるが、段付ねじ５３が柱状脚３３の雌ねじ３５に締め付けられることで、室内板１３が増し締め代２３の分撓んだ時には、段付ねじ５３の段部５９が柱状脚３３の先端面３３ａに当接し、それ以上の締め付けが不能となる。
【０００９】
請求項２記載の把手台座の取付構造は、前記室内側の面３ｂと、前記標準ねじ３７又は前記段付ねじ５３との間にねじ貫通座板４７が挟入され、
前記室内側の面３ｂと該ねじ貫通座板４７との間に、弾性パッキンシート４５が挟入されたことを特徴とする。
【００１０】
この把手台座の取付構造では、標準ねじ３７又は段付ねじ５３が締め付けられることにより、室内板１３が増し締め代２３の分撓むとともに、弾性パッキンシート４５もシート厚方向に弾性変形する。これにより、室内板１３の撓み復元力及び弾性パッキンシート４５の弾性復元力とがねじ３７，５３に反作用として働き、ねじ３７，５３の緩みが効果的に防止される。
【００１１】
請求項３記載の把手台座の取付方法は、把手台座３１Ａを扉３の室外側の面３ａに取り付ける把手台座の取付方法であって、
前記把手台座３１Ａの座面３１ａから突出させた柱状脚３３を最も薄厚の扉３に穿設した取付穴１５に室外側から挿入し、室内側から前記取付穴１５に挿入した標準ねじ３７を前記柱状脚３３の先端に形成した雌ねじ３５に螺合して前記把手台座３１Ａを扉３へ取り付ける一方、
最も薄厚の前記扉３より厚い扉３Ａに前記把手台座３１Ａを取り付けるに際しては、前記標準ねじ３７より長くかつ所定の増し締め代２３の締め付け後に、段部５９が前記柱状脚３３の先端面３３ａに当接してそれ以上の締め付けが不能となる段付ねじ５３を用いて前記把手台座３１Ａを扉３の室外側の面３ａに取り付けることを特徴とする。
【００１２】
この把手台座の取付方法では、最も薄厚の扉３に把手台座３１Ａを取り付ける際には、増し締め代２３分締め付けを行うことで室内板１３が柱状脚３３の先端面３３ａに当接する標準ねじ３７が用いられる一方、最も薄厚の扉３より厚い扉３ａに把手台座３１Ａを取り付ける際には、増し締め代２３分締め付けを行うことで段部５９が柱状脚３３の先端面３３ａに当接してそれ以上の締め付けが不能となる段付ねじ５３が用いられる。
【発明の効果】
【００１３】
本発明に係る請求項１記載の把手台座の取付構造によれば、最も薄厚に形成した扉の取付穴に、柱状脚を挿入して把手台座を取り付ける際には、標準ねじが締め付けられ、室内板が標準ねじによって増し締め代の分、撓むことにより柱状脚の先端面に当接して取り付けが完了する。一方、最も薄厚の扉より厚い扉に把手台座を取り付ける際には、柱状脚と室内板との間に増し締め代より大きな間隙が形成されるが、室内板の取付穴から挿入された段付ねじが柱状脚の雌ねじに締め付けられることで、室内板が増し締め代の分撓んだ時に、段付ねじの段部が柱状脚の先端面に当接し、それ以上の締め付けが不能となる。したがって、最も薄厚に形成した扉、或いはそれより厚い扉であっても、ねじの締めすぎによる室内板の撓み変形や破損を防止することができる。この結果、異なる扉厚に対し、共通の把手台座が使用可能となり、製品コストを低減することができるとともに、部品管理も簡素化することができる。
【００１４】
請求項２記載の把手台座の取付構造によれば、室内側の面と、標準ねじ又は段付ねじとの間にねじ貫通座板を挟入し、室内側の面とねじ貫通座板との間に、弾性パッキンシートを挟入したので、ねじを締め付けることにより、室内板が増し締め代の分撓むとともに、弾性パッキンシートもシート厚方向に弾性変形することとなり、室内板の撓み復元力及び弾性パッキンシートの弾性復元力とがねじに反作用として働き、ねじの緩みが効果的に防止可能となる。
【００１５】
請求項３記載の把手台座の取付方法によれば、最も薄厚の扉に把手台座を取り付ける際には、増し締め代分締め付けを行うことで室内板が柱状脚の先端面に当接する標準ねじを用いる一方、最も薄厚の扉より厚い扉に把手台座を取り付ける際には、増し締め代分締め付けを行うことで段部が柱状脚の先端面に当接してそれ以上の締め付けが不能となる段付ねじを用いるので、最も薄厚に形成した扉、或いはそれより厚い扉であっても、ねじの締めすぎによる室内板の撓み変形や破損を防止することができる。この結果、異なる扉厚に対し、共通の把手台座が使用可能となり、製品コスト、施工コストを低減することができるとともに、部品管理、在庫管理等も簡素化することができる。
【発明を実施するための最良の形態】
【００１６】
以下、本発明に係る把手台座の取付構造及び把手台座の取付方法の好適な実施の形態を図面を参照して詳細に説明する。
図１は本発明に係る取付構造の要部構成を表す分解側面図、図２は標準ねじを（ａ）、段付ねじを（ｂ）に表した部品説明図、図３は標準ねじが使用された本発明に係る取付構造の要部拡大断面図、図４は段付ねじが使用された本発明に係る取付構造の要部拡大断面図である。なお、図５，図６に示した部材と同等の部材には同一の符号を付し、重複する説明は省略するものとする。
本実施の形態による把手台座の取付構造は、錠前台座に採用した場合を例に説明するが、本発明に係る把手台座の取付構造は、この他、ドアハンドル、ドアレバーなどに用いても好適なものである。
【００１７】
錠前付把手１００は、扉３の室外側の面３ａと、扉３の室内側の面３ｂとの双方に取り付けられる。このうち、例えば室外側の面３ａに取り付けられる錠前付把手１００ａは、把手部５の上下に把手台座３１Ａが設けられ、この把手台座３１Ａの座面としての取付面３１ａが扉３の室外側の面３ａに当接して取り付けられる。
【００１８】
防犯上、把手台座３１Ａは、ねじ等の取付部材を露出させずに扉面３ａに取り付けられなければならない。そのため、把手台座３１Ａの取付面３１ａに柱状脚３３、３３を台座本体と一体構造として突設し、扉３の室外板１１，室内板１３を貫通して穿設した取付穴１５、１５に、この柱状脚３３、３３を室外側から挿入する一方で、室内板１３に開口した取付穴１５、１５に標準ねじ３７を柱状脚３３の先端に形成した雌ねじ３５に締め付けることで、室外側の把手台座３１Ａを取り付ける構造としている。一方、図３に示す室内側の錠前付把手１００ｂの把手台座３１Ｂは、取付性を考慮して、例えば固定ねじ２１を側部に露出させる構造で取り付けを可能にしている。なお、図示していないが、室内側の把手台座３１Ｂは、後述するねじ貫通座板４７に、固定フランジが略垂直に突設されて、この固定フランジに対して固定ネジ２１を介して固定される。
【００１９】
扉３には種々の厚みがある。本実施の形態による把手台座の取付構造では、異なる厚みの扉３に対しても、一種の把手台座３１Ａでの取り付けを可能としている。すなわち、柱状脚３３は、図３に示すように、最も薄厚に形成した扉３の取付穴１５に挿入されて、先端面３３ａが室内板１３と増し締め代２３を有して対向するよう構成されている。このように最も薄厚に形成した扉３に把手台座３１Ａが取り付けられる場合には標準ねじ３７が使用される。標準ねじ３７は、室内側から室内板１３の取付穴１５に挿入され、柱状脚３３の雌ねじ３５に螺合される。標準ねじ３７は、図２（ａ）に示すように、頭部３９を除く首下部分４１の全てに螺子４３が形成されている。
【００２０】
扉３の室外側の面３ａと、把手台座３１Ａとの間には弾性パッキンシート４５が挟入される。また、室内側の面３ｂと、標準ねじ３７の頭部３９との間にはねじ貫通座板４７が挟入され、室内側の面３ｂとねじ貫通座板４７との間には、さらに弾性パッキンシート４５が挟入されている。このように、室内側の面３ｂと、標準ねじ３７との間にねじ貫通座板４７を挟入し、さらに室内側の面３ｂとねじ貫通座板４７との間に、弾性パッキンシート４５を挟入したので、標準ねじ３７を締め付けることにより、室内板１３が増し締め代２３の分撓むとともに、弾性パッキンシート４５もシート厚方向に弾性変形することとなり、室内板１３の撓み復元力及び弾性パッキンシート４５の弾性復元力とが標準ねじ３７に反作用として働き、標準ねじ３７の緩みが効果的に防止されるようになっている。
【００２１】
また、把手台座３１Ａと室外板１１との間に挟入される弾性パッキンシート４５は、把手台座３１Ａと室外板１１とのシール性を高めて隙間風や雨水の侵入を阻止するとともに、弾性復元力によって上記の緩み防止作用にも寄与する。なお、図１中、４９は弾性パッキンシート４５に穿設されたねじ挿通穴、５１はねじ貫通座板４７に穿設されたねじ挿通穴を示す。
【００２２】
ところで、本実施の形態による把手台座の取付構造では、上記の標準ねじ３７に加え、図１に示す段付ねじ５３もその構成要件として備えている。段付ねじ５３は、図２（ｂ）に示すように、首下部分５５が軸部５７と螺子４３とで形成され、軸部５７と螺子４３との境が螺子４３の外径より拡径された段部５９となっている。この段付ねじ５３は、図３に示した最も薄厚の扉３より厚い扉３Ａ（図４参照）用として、取付穴１５に挿入され柱状脚３３の雌ねじ３５に螺合するとともに、増し締め代２３が締め付けられることで、段部５９が先端面３３ａに当接してそれ以上の締め付けが不能となる。
【００２３】
この錠前台座の取付構造では、最も薄厚に形成した扉３に把手台座３１Ａが取り付けられる際には、標準ねじ３７が締め付けられ、室内板１３が標準ねじ３７によって増し締め代２３の分、撓むことにより柱状脚３３の先端面３３ａに当接して取り付けが完了する。一方、最も薄厚の扉３より厚い扉３Ａに把手台座３１Ａが取り付けられる際には、柱状脚３３と室内板１３との間に増し締め代２３より大きな間隙６１（図４参照）が形成されるが、段付ねじ５３が柱状脚３３の雌ねじ３５に締め付けられることで、室内板１３が増し締め代２３の分撓んだ時に、段付ねじ５３の段部５９が柱状脚３３の先端面３３ａに当接し、それ以上の締め付けが不能となる。
【００２４】
このように、上記の錠前台座の取付構造によれば、最も薄厚に形成した扉３の取付穴１５に、柱状脚３３を挿入して把手台座３１Ａを取り付ける際には、標準ねじ３７が締め付けられ、室内板１３が標準ねじ３７によって増し締め代２３の分、撓むことにより柱状脚３３の先端面３３ａに当接して取り付けが完了する。一方、最も薄厚の扉３より厚い扉３Ａに把手台座３１Ａを取り付ける際には、柱状脚３３と室内板１３との間に増し締め代２３より大きな間隙６１が形成されるが、室内板１３の取付穴１５から挿入された段付ねじ５３が柱状脚３３の雌ねじ３５に締め付けられることで、室内板１３が増し締め代２３の分撓んだ時に、段付ねじ５３の段部５９が柱状脚３３の先端面３３ａに当接し、それ以上の締め付けが不能となる。したがって、最も薄厚に形成した扉３、或いはそれより厚い扉３Ａであっても、ねじの締めすぎによる室内板１３の撓み変形や破損を防止することができる。この結果、異なる扉厚に対し、共通の把手台座３１Ａが使用可能となり、製品コストを低減することができるとともに、部品管理も簡素化することができる。
【００２５】
ここで、扉の厚さを、例えば、最も薄厚に形成した扉３の厚さを３６ｍｍとし、最も薄厚の扉３より厚い扉３Ａの厚さを４２ｍｍとした場合には、その差分の６ｍｍが段付ねじ５３の軸部５７の長さに略相当することとなり、これら２種類の扉の厚さに応じて、標準ねじ３７と段付ねじ５３とをそれぞれ用意しておくことで対応が可能となる。
【００２６】
次に、上記した錠前台座の取付方法を説明する。
上記した取付構造による錠前台座の取付方法では、図３に示すように、把手台座３１Ａの座面３１ａから突出させた柱状脚３３を最も薄厚の扉３に穿設した取付穴１５に室外側から挿入し、室内側から取付穴１５に挿入した標準ねじ３７を、柱状脚３３の先端に形成した雌ねじ３５に螺合して、把手台座３１Ａを扉３へ取り付ける。
【００２７】
一方、図４に示すように、最も薄厚の扉３より厚い扉３Ａに把手台座３１Ａを取り付けるに際しては、標準ねじ３７より長くかつ所定の増し締め代２３の締め付け後に、段部５９が柱状脚３３の先端面３３ａに当接して、それ以上の締め付けが不能となる段付ねじ５３を用いて把手台座３１Ａを扉３Ａの室外板１１の面に取り付ける。
【００２８】
この錠前台座の取付方法では、最も薄厚の扉３に把手台座３１Ａを取り付ける際には、増し締め代２３分締め付けを行うことで、室内板１３が柱状脚３３の先端面３３ａに当接する標準ねじ３７が用いられる一方、最も薄厚の扉３より厚い扉３Ａに把手台座３１Ａを取り付ける際には、増し締め代２３分締め付けを行うことで段部５９が柱状脚３３の先端面３３ａに当接してそれ以上の締め付けが不能となる段付ねじ５３が用いられる。
【００２９】
したがって、この錠前台座の取付方法によれば、最も薄厚に形成した扉３、或いはそれより厚い扉３Ａであっても、ねじの締めすぎによる室内板１３の撓み変形や破損を防止することができる。この結果、異なる扉厚に対し、共通の把手台座３１Ａが使用可能となり、製品コスト、施工の手間等を低減することができるとともに、部品管理や在庫管理等も簡素化することができる。
【図面の簡単な説明】
【００３０】
【図１】本発明に係る取付構造の要部構成を表す分解側面図である。
【図２】標準ねじを（ａ）、段付ねじを（ｂ）に表した部品説明図である。
【図３】標準ねじが使用された本発明に係る取付構造の要部拡大断面図である。
【図４】段付ねじが使用された本発明に係る取付構造の要部拡大断面図である。
【図５】従来の把手台座の取付構造を表す側面図である。
【図６】薄い扉に対応する柱状脚を有する把手台座が誤使用された従来取付構造の拡大側面図である。
【符号の説明】
【００３１】
３…最も薄厚に形成した扉
３Ａ…最も薄厚の扉より厚い扉
３ａ…室外側の面
１１…室外板
１３…室内板
１５…取付穴
２３…増し締め代
３１Ａ…把手台座
３１ａ…座面（取付面）
３３…柱状脚
３３ａ…先端面
３５…雌ねじ
３７…標準ねじ
４５…弾性パッキンシート
４７…ねじ貫通座板
５３…段付ねじ
５９…段部
【図１】
2007138525.tif 000003
【図２】
2007138525.tif 000004
【図３】
2007138525.tif 000005
【図４】
2007138525.tif 000006
【図５】
2007138525.tif 000007
【図６】
2007138525.tif 000008